(57)【要約】      （修正有）【課題】お茶を注出した後の茶葉を容易に取り除くことができる急須を提供する。【解決手段】急須本体２は、棚部４と開口部５と注ぎ口８と側面部６と底面部７を備えている。蓋体３は、急須本体２の棚部４の上部に設置することによって、開口部５を塞ぐための蓋である。棚部４は、急須本体の上部に設けられている。開口部５は、急須本体２の上部であり、棚部４で囲まれた範囲内に設けられている。側面部６は、棚部４の下部に設けられている。底面部７は、側面部６の下部に設けられている。側面部６は、急須本体２の外部に外部側面部を有するとともに、急須本体２の内部に内部側面部を有する。底面部７は、急須本体２の外部に外部底面部を有するとともに、急須本体２の内部に内部底面部を有する。棚部４は、急須本体の上部に設けられているだけではなく、外部側面部と内部側面部の間に設けられている。【選択図】図１
2012147946.tif 000002
【特許請求の範囲】
【請求項１】
お茶を注ぐための急須であって、
棚部と開口部と注ぎ口と側面部と底面部を備えた急須本体と、
前記急須本体の前記棚部の上部に設置することによって、前記開口部を塞ぐための蓋体と、
を有する急須であって、
前記棚部は、前記急須本体の上部に設けられており、
前記開口部は、前記急須本体の上部であり、前記棚部で囲まれた範囲内に設けられており、
前記側面部は、前記棚部の下部に設けられており、
前記底面部は、前記側面部の下部に設けられており、
前記側面部は、前記急須本体の外部に外部側面部を有するとともに、前記急須本体の内部に内部側面部を有し、
前記底面部は、前記急須本体の外部に外部底面部を有するとともに、前記急須本体の内部に内部底面部を有し、
前記注ぎ口は、前記外部側面部に接合するように設けられており、 
前記内部側面部は、前記棚部の近傍で断面形状が略曲線状に形成されており、前記棚部の近傍から下の部分は、前記内部底面部まで断面形状が略直線状に形成されていることを特徴とする急須。
【請求項２】
前記棚部は、前記外部側面部と前記内部側面部の間に設けられていることを特徴とする請求項１に記載の急須。
【請求項３】
前記内部側面部は、前記棚部の近傍から前記内部底面部まで断面形状が略曲線状に形成されていることを特徴とする請求項１、あるいは、請求項２のうちのいずれか１つに記載の急須。
【発明の詳細な説明】
【技術分野】
【０００１】
本発明は、お茶を注出した後の茶葉を取り除き易い急須に関する。
【背景技術】
【０００２】
急須から湯飲み等にお茶を注いで、お茶を飲む方法には、急須に茶葉を入れたり、ティーバッグを入れたり、金網を入れて、その金網の中に茶葉を入れてお湯を注ぐ方法がある。
急須にティーバッグを入れてお湯を注ぐと、茶葉を外装しているパックの香りがお茶に移るためにお茶の風味が落ちることがある。
また、急須に茶葉を内装した金網を入れてお湯を注ぐと、茶葉に十分にお湯が行き渡らないためにお茶の風味が落ちることがある。
このため、急須から湯飲み等にお茶を注ぐ際には、急須に茶葉を入れてお湯を注ぐことが多い。
急須に茶葉を入れてお湯を注いだ後には、急須の中にはお茶を注出した後の茶葉が残る。
お茶を注出した後の茶葉は水分を吸収しているので、お茶を注出した後の茶葉は急須の内部に引っかかるので、お茶を注出した後の茶葉を開口部まで移動させることはかなり手間がかかる。
また、従来の急須本体は、蓋体を載せるための棚部が内部底面部から内側に形成されており、開口部は棚部で囲まれた範囲内で形成されているので、お茶を注出した後の茶葉を
開口部から取り除くこともかなり手間がかかる。
【０００３】
背景技術には、特許文献１と特許文献２がある。
【０００４】
特許文献１に示す急須は、内部側面部や開口部にお茶を注出した後の茶葉が引っかかるので、お茶を注出した後の茶葉を廃棄することはかなり手間がかかる。
【０００５】
特許文献２に示す急須は、内部側面部にお茶を注出した後の茶葉が引っかかるので、お茶を注出した後の茶葉を取り除くことはかなり手間がかかる。
【特許文献１】特許公開２００６−１６７０１６公報
【特許文献２】特許公開２００６−３０４９７８公報
【発明の開示】
【発明が解決しようとする課題】
【０００６】
本発明は、お茶を注出した後の茶葉を容易に取り除くことができる急須を提供することを目的とする。
【課題を解決するための手段】
【０００７】
上記課題を解決するために、本発明の急須は、急須本体と蓋体で構成される。
【０００８】
急須本体は、棚部と開口部と注ぎ口と側面部と底面部を備えている。
蓋体は、急須本体の棚部の上部に設置することによって、開口部を塞ぐための蓋である。
棚部は、急須本体の上部に設けられている。
開口部は、急須本体の上部であり、棚部で囲まれた範囲内に設けられている。
側面部は、棚部の下部に設けられている。
底面部は、側面部の下部に設けられている。
側面部は、急須本体の外部に外部側面部を有するとともに、急須本体の内部に内部側面部を有する。
底面部は、急須本体の外部に外部底面部を有するとともに、急須本体の内部に内部底面部を有する。
棚部は、先に説明したように、急須本体の上部に設けられているだけではなく、外部側面部と内部側面部の間に設けられている。
注ぎ口は、外部側面部に接合するように設けられている。
また、注ぎ口の内部の空洞は側面部側開口部と連通している。
内部側面部は、棚部の近傍で断面形状が略曲線状に形成されており、棚部の近傍から下の部分は、内部底面部まで断面形状が略直線状に形成されている。
急須本体と蓋体は、陶器、鉄、アルミニウム、ステンレス、セラミック、プラスチック、シリコンなどで構成されている。
【０００９】
本発明の急須からお茶を飲むためには、まず、急須本体から蓋体を取り外す。
つぎに、開口部から急須本体に茶葉を入れた後に、開口部から急須本体にお湯を入れる。
お湯によって茶葉からお茶が抽出されると、急須本体の内部にお茶が貯蔵される。
急須本体の内部に貯蔵されたお茶は取っ手を持って、急須本体を傾ければ、注ぎ口から注出する。
注ぎ口から湯飲みやコップなどにお茶を注入すると、湯飲みやコップなどからお茶を飲むことができる。
【００１０】
急須本体の内部に貯蔵されたお茶が注出して、急須本体の内部にお茶がなくなる、あるいは、ほとんどなくなると、急須本体の内部には、お茶を注出した後の茶葉が残る。
本発明の急須から、お茶を注出した後の茶葉を取り除くためには、急須本体から蓋体を取り外して、取っ手を持つ、あるいは、急須本体を手で持って、開口部が下になるようにして、外部底面部を叩いたり、急須本体を振って、急須本体からお茶を注出した後の茶葉を取り除く。
【００１１】
内部側面部は、棚部の近傍で断面形状が略曲線状に形成されており、棚部の近傍から下の部分は、内部底面部まで断面形状が略直線状に形成されているので、お茶を注出した後の茶葉は、従来の急須のように内部底面部の断面形状が略曲線状に形成された部分に引っかかることはない。
また、棚部は、内部側面部と外部側面部との間に形成されているので、お茶を注出した後の茶葉は、棚部に引っかかることなく、開口部から取り除くことができる。
【発明の効果】
【００１２】
本発明の急須は、お茶を注出した後の茶葉を容易に取り除くことができる。
【発明を実施するための最良の形態】
【００１３】
図面に基づいて発明を実施するための最良の形態を説明する。
【００１４】
実施例１の急須１は、図１、図２に示すように、急須本体２と蓋体３で構成される。
急須本体２は、図１、図２に示すように、棚部４と開口部５と側面部６と底面部７と注ぎ口８を有する。
蓋体３は、急須本体２の棚部４の上部に設置されるとともに、開口部５を塞ぐための蓋である。
蓋体３は、図１、図２に示すように、急須本体２の棚部４の上部に設置される。
蓋体３は、図１、図２、図３(ａ)に示すように、上部に蓋体３を持ち上げるためのつまみ３ａを有し、下部に蓋体３を急須本体２に設置した際に蓋体３が急須本体２から外れないようにするための円筒部３ｂを有する。
つまみ３ａは、図３(ａ)に示す形状に限定されず、従来の蓋体のつまみの形状と同様に構成されていればよい。
円筒部３ｂは、図１、図２、図３(ａ)に示すように、略垂直状に下方に延びて形成されている。
棚部４は、図１、図２に示すように、急須本体２の上部に設けられている。
開口部５は、図１、図２に示すように、急須本体２の上部であり、棚部４で囲まれた範囲内に設けられている。
側面部６は、図１、図２に示すように、棚部４の下部に設けられている。
底面部７は、図１、図２に示すように、側面部６の下部に設けられている。
側面部６は、図４に示すように、急須本体２の外部に外部側面部６ａを有するとともに、急須本体２の内部に内部側面部６ｂを有する。
底面部７は、図４に示すように、急須本体２の外部に外部底面部７ａを有するとともに、急須本体２の内部に内部底面部７ｂを有する。
側面部６には、図４に示すように、内部底面部７ｂの近傍で、外部側面部６ａから内部側面部６ｂに向けて側面開口部６ｃが設けられている。
ただし、側面開口部６ｃが設けられているのは、側面開口部６ｃの近傍には限られない。
【００１５】
棚部４は、図１、図２、図３(ｂ)に示すように、急須本体２の上部に設けられているだけではなく、外部側面部６ａと内部側面部６ｂの間に設けられている。
【００１６】
内部側面部６ｂのうち棚部４の近傍は、図４に示すように、断面形状が略曲線状に形成されており、内部側面部６ｂのうち棚部４の近傍から下の部分は内部底面部７ｂまで略直線状に形成されている。
ただし、内部側面部６ｂは、図５に示すように、棚部４の近傍から内部底面部７ｂまで断面形状が略曲線状に形成されていてもよい。
【００１７】
注ぎ口８は、図１、図２、図３(ｂ)に示すように、外部側面部６ａに接合するように設けられているとともに、注ぎ口８の内部の空洞は、図４に示すように、側面開口部６ｃと連通している。
注ぎ口８の形状については、図１、図２、図３(ｂ)に示す形状に限定されず、従来の急須の注ぎ口の形状と同様に構成されていればよい。
【００１８】
急須本体２と蓋体３は、陶器、鉄、アルミニウム、ステンレス、セラミック、プラスチック、シリコンなどで構成されている。
【００１９】
実施例１では、急須１は、図１、図２、図３(ｂ)に示すように、急須１からお茶を注ぎやすくするために、外部側面部６ａには、取っ手９が設けられている。
取っ手９の形状については、図１、図２、図３(ｂ)に示す形状に限定されず、従来の急須の取っ手の形状と同様に構成されていればよい。
側面部側開口部６ｃには、図６に示すように、茶葉が注ぎ口８から流出しないようにするために、金網１０を設けておくことが望ましい。
【００２０】
本発明の急須１からお茶を飲むためには、まず、急須本体２から蓋体３を取り外す。
つぎに、開口部５から急須本体２に茶葉を入れた後に、開口部５から急須本体２にお湯を入れる。
お湯によって茶葉からお茶が抽出されると、急須本体２の内部にお茶が貯蔵される。
急須本体２の内部に貯蔵されたお茶は取っ手９を持って、急須本体２を傾ければ、注ぎ口８から注出する。
注ぎ口８から湯飲みやコップなどにお茶を注入すると、湯飲みやコップなどからお茶を飲むことができる。
【００２１】
急須本体２の内部に貯蔵されたお茶がなくなる、あるいは、ほとんどなくなると、急須本体２の内部には、図７に示すように、お茶を注出した後の茶葉１１が残る。
本発明の急須１から、お茶を注出した後の茶葉１１を取り除くためには、急須本体２から蓋体３を取り外して、取っ手９を持つ、あるいは、急須本体２を手で持って、図８(ａ)に示すように、急須本体２を斜めにして、外部底面部７ａを叩いたり、急須本体２を振れば、お茶を注出した後の茶葉１１は内部側面部６ｂを通過して、図８(ｂ)に示すように、
開口部５に到達し、図８(ｃ)に示すように、急須本体２の開口部５から取り除くことができる。
【００２２】
従来の急須例１２も、図９に示すように、急須本体２の内部に貯蔵されたお茶がなくなる、あるいは、ほとんどなくなると、従来の急須例１２の急須本体２の内部には、図９に示すように、お茶を注出した後の茶葉１１が残る。
また、従来の急須例１２は、図９に示すように、内部側面部６ｂが断面形状が略曲線状に形成されている。
このため、従来の急須例１２では、お茶を注出した後の茶葉１１は、図１０(ａ)に示すように、内部側面部６ｂに引っかかるために、従来の急須１１からお茶を注出した後の茶葉１１を取り除くためには、図１０(ｂ)に示すように、従来の急須例１２の開口部５が下になるようにして、外部底面部７ａを叩いたり、急須本体２を振らなければならない。
しかし、従来の急須例１２は、図１０(ｃ)に示すように、棚部４が内部側面部６ｂから内側に形成されているので、従来の急須例１２の開口部５が下になるようにして、外部底面部７ａを叩いたり、急須本体２を振っても、お茶を注出した後の茶葉１１は、棚部４に引っかるので従来の急須例１２から取り除くことは大変手間がかかる。
【００２３】
しかし、本発明の急須１は、急須本体２の内部側面部６ｂは、開口部４から内部側面部６ｂに向けて傾斜しているために、お茶を注出した後の茶葉１１は、従来の急須例１２のように内部側面部６ｂの略円弧状に形成された部分には、引っかかりにくい。
本発明の急須１は、棚部４は開口部５には設けられてはいないので、お茶を注出した後の茶葉１１は、従来の急須例１２のように開口部５に設けられた棚部４に引っかかることはない。
本発明の急須１は、急須本体２の内部に少し水を入れれば、お茶を注出した後の茶葉１１は、内部側面部６ｂや開口部５に引っかかりにくくなるので、急須本体２の内部に少し水を入れれば、急須本体２を斜めにして、外部底面部７ａを叩いたり、急須本体２を振って、急須本体２の開口部５から、より容易に、お茶を注出した後の茶葉１１を取り除くことができる。
このため、本発明の急須１は、従来の急須例１２に比べて、お茶を注出した後の茶葉１１を容易に取り除くことができる。
【図面の簡単な説明】
【００２４】
【図１】急須の斜視図である。
【図２】急須の正面図である。
【図３】(ａ)蓋体の底面図である。(ｂ)急須の平面図である。
【図４】内部側面部が棚部の近傍で断面形状が略曲線状に形成されており、棚部の近傍から下の部分は、内部底面部まで断面形状が略直線状に形成されている急須の断面図である。
【図５】内部側面部が棚部の近傍から内部底面部まで断面形状が略曲線状に形成されている急須の断面図である。
【図６】内部側面部の開口部に金網が設置されている急須の断面図である。
【図７】お茶を注出した後の茶葉が内部底面部に貯まっている急須の断面図である。
【図８】(ａ)お茶を注出した後の茶葉が内部側面部を通過している急須本体の断面図である。(ｂ)お茶を注出した後の茶葉が開口部を通過している急須本体の断面図である。(ｃ)お茶を注出した後の茶葉が開口部から廃棄された後の急須本体の断面図である。
【図９】お茶を注出した後の茶葉が内部底面部に貯まっている従来の急須例の断面図である。
【図１０】(ａ)お茶を注出した後の茶葉が内部側面部に貯まっている従来の急須例の急須本体の断面図である。(ｂ)お茶を注出した後の茶葉が開口部で引っかかってる従来の急須例の急須本体の断面図である。(ｃ)お茶を注出した後の茶葉が開口部から廃棄された後の従来の急須例の急須本体の断面図である。
【符号の説明】
【００２５】
１    急須
２    急須本体    
３    蓋体
３ａ  つまみ
３ｂ  円筒部
４    棚部
５    開口部
６    側面部
６ａ  外部側面部
６ｂ  内部側面部
６ｃ  側面開口部
７    底面部
７ａ  外部底面部
７ｂ  内部底面部
８    注ぎ口
９    取っ手
１０  金網
１１  お茶を注出した後の茶葉
１２  従来の急須例
【図１】
2012147946.tif 000003
【図２】
2012147946.tif 000004
【図３】
2012147946.tif 000005
【図４】
2012147946.tif 000006
【図５】
2012147946.tif 000007
【図６】
2012147946.tif 000008
【図７】
2012147946.tif 000009
【図８】
2012147946.tif 000010
【図９】
2012147946.tif 000011
【図１０】
2012147946.tif 000012
【手続補正書】
【提出日】平成23年1月26日(2011.1.26)
【手続補正１】
【補正対象書類名】特許請求の範囲
【補正対象項目名】請求項１
【補正方法】変更
【補正の内容】
【請求項１】
お茶を注ぐための急須であって、
棚部と開口部と注ぎ口と側面部と底面部を備えた急須本体と、
前記急須本体の前記棚部の上部に設置することによって、前記開口部を塞ぐための蓋体と、
を有し、
前記棚部は、前記急須本体の上部に設けられており、
前記開口部は、前記急須本体の上部であり、前記棚部で囲まれた範囲内に設けられており、
前記側面部は、前記棚部の下部に設けられており、
前記底面部は、前記側面部の下部に設けられており、
前記側面部は、前記急須本体の外部に外部側面部を有するとともに、前記急須本体の内部に内部側面部を有し、
前記底面部は、前記急須本体の外部に外部底面部を有するとともに、前記急須本体の内部に内部底面部を有し、
前記注ぎ口は、前記外部側面部に接合するように設けられており、 
前記内部側面部は、前記棚部の近傍で断面形状が略曲線状に形成されており、前記棚部の近傍から下の部分は、前記内部底面部まで断面形状が略直線状に形成されていることを特徴とする急須。